(57)【要約】【課題】情緒を安定させることができる視野遮蔽器具を提供する。【解決手段】視野遮蔽器具１００は、使用者の頭部の前面側に配置され、使用者の視野のうち上部のみを遮蔽する視野上部遮蔽部４０を有する。また、視野上部遮蔽部４０は、使用者の頭部に装着される頭部装着体または頭部装着体に設けられたレンズなどに設けられ、且つ、使用者の眼の前方に配置されて、その使用者の視野のうち上部のみを遮蔽するように構成されている。【選択図】図１
2014222293.tif 000002
【特許請求の範囲】
【請求項１】
使用者の頭部の前面側に配置される視野遮蔽器具であって、
使用者の視野のうち上部のみを遮蔽する視野上部遮蔽部を有する
ことを特徴とする視野遮蔽器具。
【発明の詳細な説明】
【技術分野】
【０００１】
本発明は、例えば、視野の上部を遮る遮蔽部（遮光部）を備える眼鏡や目隠しなどの視野遮蔽器具に関する。
【背景技術】
【０００２】
遮光部を備えた眼鏡として、様々な形態のものが知られている。
例えば、射撃競技用の眼鏡として、片目全部を遮光する遮光部を備え、標的に焦点を合わせやすくした眼鏡が知られている。
【０００３】
また、拡大屈折を行う近方用の近業領域と、近業領域よりも拡大屈折の度合いを弱く光透過率を低くした遠業領域とを複合した多焦点レンズを備え、遠業領域には、光透過率抑制のために偏光フィルムが貼り込みされている遠近両用サングラスが知られている（例えば、特許文献１参照）。
【０００４】
また、サングラスや眼鏡のレンズに貼られるシールであって、遮光性のシールの中央に小さな穴をあけ、その穴を通してしかボールを見えなくしたゴルフ練習用のシールが知られている（例えば、特許文献２参照）。
【０００５】
また、眼鏡フレームのレンズ枠に、レンズに代えて遮光プレートを夫々設け、該遮光プレートの表面側に任意のカラーの意匠（図柄）を備えると共に、該遮光プレートに多数の小さなパンチ孔を所定間隔で空けて、透光性を抑制したサングラスも知られている（特許文献３）。
【０００６】
また、透明又は淡い色のサングラスの片面又は両面に網目状の遮光体を粘着糊で貼り付けた遮光メガネが知られている（例えば、特許文献４参照）。特許文献４に記載の遮光メガネは、白内障手術後、視力が急回復した目ともう一方の目とのアンバランスの為に生じる障害に対応するために、一定期間着用して、目を徐々に慣らすのに用いられる。
【先行技術文献】
【特許文献】
【０００７】
【特許文献１】実開平６−８４４２８号
【特許文献２】実用新案登録第３１６６５００号
【特許文献３】実用新案登録第３０１５６３８号
【特許文献４】実用新案登録第３１４０７８９号
【発明の概要】
【発明が解決しようとする課題】
【０００８】
ところで、情緒を安定させる要因としては、脳内ドーパミンやノルアドレナリンの放出と脳内セロトニンの放出とのバランスなどが関与している。例えば、脳内セロトニンのほうが優勢状態の場合に情緒が安定する傾向にあり、脳内ドーパミンやノルアドレナリンの放出が過多の場合、興奮状態となる傾向にある。
【０００９】
詳細には、人間は、興味のある対象物を見たときや刺激を受けた場合、眼球が上向きになる傾向にあり、眼球の上直筋が収縮し、脳内ドーパミン及びノルアドレナリンの放出が促進される傾向にあり、興味ある対象物や刺激を排除した場合、眼球が正常状態に戻り、眼球の上直筋が弛緩し、脳内ドーパミン及びノルアドレナリンの放出が抑制され、常に略一定量放出されている脳内セロトニンにより、徐々にセロトニンが優勢状態となり、情緒が安定する傾向にある。また、人は安心感を得た場合、眼球が下向きとなる傾向にあり、眼球の下直筋が収縮し、脳内セロトニンの放出が促進され、情緒が安定となる傾向にある。
【００１０】
例えば、現代社会において、テレビやゲーム等の娯楽、自動車の運転などのストレス、などによる刺激が多く、脳内ドーパミン及びノルアドレナリンの放出が促進される。この場合、眼球が上向きになる傾向となり、眼球の上直筋が収縮状態になっている。さらに、眼球の上直筋の収縮により、脳内ドーパミン及びノルアドレナリンの放出が促進された場合、その興奮により更に興奮状態となるなどの悪循環が起きる虞がある。脳内ドーパミンが過多の状態の場合、満足感の欠如、苛立ちなどを助長する傾向にあり、脳内アドレナリンが過多の状態の場合、不安や怒りなどを助長する傾向にある。
【００１１】
本発明は、上述した問題に鑑みてなされたもので、簡単な構成で、眼球の上直筋を弛緩して情緒を安定化させることが可能な、眼鏡や目隠しなどの視野遮蔽器具を提供すること、などを目的をとする。
【課題を解決するための手段】
【００１２】
本発明の視野遮蔽器具は、使用者の頭部の前面側に配置される視野遮蔽器具であって、使用者の視野のうち上部のみを遮蔽する視野上部遮蔽部を有することを特徴とする。
この視野遮蔽器具を使用者が使用した場合、使用者の視野のうち上部付近を視野上部遮蔽部が遮蔽し、使用者の視野のうち下部については遮蔽しないように、視野遮蔽器具が構成されている。
【００１３】
また、本発明の視野遮蔽器具は、視野上部遮蔽部が、前記使用者の頭部に装着される頭部装着体に支持され、且つ、前記使用者の眼の前方に配置されて、該使用者の視野の上部のみを遮蔽するように構成されていてもよい。
視野上部遮蔽部は、眼鏡フレームや眼鏡レンズなどの頭部装着体に固定されていてもよいし、頭部装着体に着脱自在に設けられてもよいし、頭部装着体にヒンジを介して回動自在に設けられていてもよい。
【発明の効果】
【００１４】
本発明によれば、簡単な構成で、眼球の上直筋を弛緩して、情緒を安定化させることが可能な、眼鏡や目隠しなどの視野遮蔽器具を提供することができる。
【図面の簡単な説明】
【００１５】
【図１】本発明の実施形態に係る視野遮蔽器具の一例を示す斜視図。
【図２】本発明の実施形態に係る視野遮蔽器具の視野上部遮蔽部を設けたレンズの一例を示す図。
【図３】視野遮蔽器具の使用例を示す図。
【図４】使用者に装着された視野遮蔽器具の一例を示す図。
【図５】本発明の他の実施形態に係る視野遮蔽器具の一例を示す図。
【図６】眼鏡に着脱自在に構成された視野遮蔽器具の一例を示す図。
【図７】眼鏡に着脱自在に構成された視野遮蔽器具の他の例を示す図。
【図８】左右の視野上部遮蔽部が一つに連結したタイプの視野遮蔽器具の一例を示す図。
【図９】視野遮蔽器具の変形例を示す図、（ａ）は「ただいまダイエット中」などの文字を遮蔽部の使用者側の面に対して反対側の面に表示した一例、（ｂ）は「海とカモメ」などの文字を遮蔽部の使用者側の面に対して反対側の面に表示した一例、（ｃ）は燃える炎を模した形状の遮蔽部を備えた視野遮蔽器具の一例を示す図。
【発明を実施するための形態】
【００１６】
本発明の実施形態に係る視野遮蔽器具１００を、図面を参照しながら説明する。
【００１７】
本発明の実施形態に係る視野遮蔽器具１００は、使用者の頭部の前面側に配置され、使用者の視野のうち上部を遮蔽する視野上部遮蔽部４０を有する。
また、視野上部遮蔽部４０は、使用者の頭部に装着される頭部装着体または頭部装着体に設けられたレンズに設けられ、且つ、使用者の眼の前方に配置されて、その使用者の視野のうち上部のみを遮蔽するように構成されている。
また、本発明の実施形態に係る視野遮蔽器具１００は、視野上部遮蔽部４０が、使用者の頭部に装着される頭部装着体（フレームなど）、または、その頭部装着体に設けられたレンズなどに設けられ、且つ、使用者の眼の前方に配置されて、その使用者の視野のうち上部のみを遮蔽するように構成されている。
尚、視野上部遮蔽部４０は、使用者の視野のうち上部、および、上部と下部の間の僅かな領域を遮蔽するように構成されていてもよい。
【００１８】
本発明の実施形態に係る視野遮蔽器具１００は、例えば、眼鏡、サングラス、ゴーグル、眼鏡型目隠し、眼鏡装着用目隠し、などに適用することができる。
次に、本発明の実施形態に係る視野遮蔽器具１００の一例を詳細に説明する。
【００１９】
図１は本発明の実施形態に係る視野遮蔽器具１００の一例を示す斜視図である。図２は本発明の実施形態に係る視野遮蔽器具１００の視野上部遮蔽部４０を設けたレンズ１の一例を示す図である。図１および図２に示した例では、視野遮蔽器具１００を眼鏡に適用した例を示す。
【００２０】
図１に示した例では、この眼鏡は、一対のレンズ１と、頭部装着体１０としてのフレーム２と、を有する。
【００２１】
フレーム２は、レンズ１や視野上部遮蔽部４０などを支持する支持枠（レンズ枠）２ａと、左右一対の支持枠２ａまたは視野上部遮蔽部４０を連結するブリッジ２ｂと、レンズ１や支持枠２ａ（レンズ枠）に連結されたつる部２ｃと、つる部２ｃの端部に設けられた耳かけ部２ｄと、ブリッジ２ｂの下部、又は、ブリッジ２ｂ付近に設けられた鼻掛け部３と、を有する。
【００２２】
図１、図２に示した例では、使用者の視野のうち上部のみを遮蔽する視野上部遮蔽部４０としての遮蔽部４（遮光部）がレンズ１に設けられている。また、本実施形態では、レンズ１の遮蔽部４に遮光層４ａが設けられており、遮蔽部４の下部に透光部５が設けられている。
図１、図２に示した例では、レンズ１において、ブリッジ２ｂの下部に設けられた鼻掛け部３よりも上方、詳細には、例えば、鼻掛け部３の水平位置から上方に、視野上部遮蔽部４０としての遮蔽部４（遮光部）が備えられている。視野上部遮蔽部４０としての遮蔽部４（遮光部）は、必要に応じて、鼻掛け部３の水平位置に対応する部分も遮蔽するように構成されていてもよい。
使用者が眼鏡を使用時、例えば、使用者の視線が水平方向と同じとなる場合、鼻掛け部３の位置と、遮蔽部４（遮光部）の下端位置とが略一致するように、視野上部遮蔽部４０が構成されている。
視野上部遮蔽部４０としての遮蔽部４（遮光部）は、例えば、遮光シート、遮光塗膜によりコーティングされた遮光層、偏光フィルム、遮光紙テープ、遮光合成樹脂製フィルム（色つき、あるいは厚手のもの）、ゴム、アルミ蒸着などにより金属粉で形成された遮光層、などにより形成されている。
【００２３】
詳細には、遮蔽部４（遮光部）は、遮光材、例えば、コーティング技術により、Ａｌ（アルミニウム），Ｃｕ（銅），Ａｕ（金），Ａｇ（銀）、などの金属粉で形成された金属層であってもよいし、樹脂材、カーボンや遮光性を有する顔料を含有する樹脂製フィルム、合成樹脂製の塗膜、紙材、ゴム材、などで構成されていてもよく、又、それらの組み合わせにより構成されていてもよい。
また、遮蔽部４（遮光部）は、レンズの形状に対応するように柔軟性を有するように、フィルム状、テープ状、シート状、板状に形成されていてもよい。
また、遮蔽部４（遮光部）は、レンズ１に上記遮光材を接着、塗布などの各種製造方法により形成されていてもよいし、レンズ１に取付け及び取外し自在に構成されていてもよい。
また、遮蔽部４（遮光部）は、偏光角度の異なる偏光フィルムや偏光板を複数重ねた構造であってもよい。
【００２４】
遮蔽部４（遮光部）の色、厚さなどは、一般的な使用者の視力により視野を遮蔽できる程度の高い遮光率となっていれば、どのようなものであってもよい。
【００２５】
遮蔽部４（遮光部）は、例えば、レンズ面の裏側（目側）、表側、又は、その両側に設けられていてもよい。
【００２６】
また、遮蔽部４（遮光部）は、レンズ１に設けることなく、例えば、板状の遮光材を眼鏡のフレーム２に設けてもよい。
【００２７】
図１、図２に示した例では、遮蔽部４は、レンズ１の上端１ａと下端１ｃの間のうち、上端１ａから下端１ｃに向けて約２／３の位置１ｂまで覆うように形成されている。
詳細には、図１、図２に示した例では、レンズ１の上端１ａと下端１ｃの間が距離ｗとなるように構成されている場合、上端１ａから下端１ｃに向けて距離ｗ×（約２／３）の位置１ｂまで覆うように遮蔽部４が形成されている。レンズ１のうち、遮蔽部４の下部には、透光部５が設けられている。
【００２８】
図３は視野遮蔽器具１００の使用例を示す図である。
図３に示した例では、使用者Ａが、視野遮蔽器具１００を採用した眼鏡を装着している。使用者Ａの瞳孔Ａｃから略水平方向に沿った視線と、その使用者Ａに対面する相手Ｂの目の瞳孔Ｂｃとが、直接交差しないように、視野遮蔽器具１００の視野上部遮蔽部４０としての遮蔽部４が構成されている。本実施形態では、遮蔽部４は、使用者Ａの瞳孔Ａｃの視線が略水平方向となっている場合、水平よりも上方を遮蔽するように構成されている。また、遮蔽部４は、必要に応じて水平位置に対応する僅かな領域部分を遮蔽するように構成されていてもよい。
【００２９】
図３に示した例では、使用者Ａの上下方向の視野範囲は、使用者Ａの瞳孔Ａｃの視線が水平方向から下方向へ角度θ1（約９０度）となっている。尚、図３に示したように、使用者Ａの瞳孔Ａｃによる視線が水平から僅かに下がった角度ｄθ（約１０度）までの角度範囲を遮蔽するように、遮蔽部４が構成されていてもよい。
【００３０】
図３に示した角度θ2の角度範囲は、角度θ1より小さい角度であり、視野が非常に制限された状態となり、使用者の目に入光する光量が非常に小さい。図３に示した角度θ1の角度範囲では、使用者の目に入光する光量が比較的大きいので、こちらのほうが光量の観点から好ましい。
【００３１】
また、図３に示したように、視野遮蔽器具１００を装着した使用者Ａに対面する相手Ｂにも、視野遮蔽器具１００を装着してもよい。
【００３２】
図４は使用者Ａに装着された視野遮蔽器具１００の一例を示す図である。図４に示した例では、視野遮蔽器具１００は、使用者の瞳孔ｃからの視線が略水平方向の場合、瞳孔ｃの下端位置Ｌ１、または、瞳孔ｃの下端位置Ｌ１から僅かに下方の位置Ｌ２を覆うように、レンズ１に設けられた遮蔽部４（遮光部）が形成されている。この場合、眼鏡の鼻掛け部３の位置よりも上方に、遮蔽部４（遮光部）が位置するように形成される。こうすることで、簡単な構成で、使用者の視野のうち上部のみを遮蔽することができる。
【００３３】
図５は本発明の他の実施形態に係る視野遮蔽器具１００の一例を示す図である。
図５に示した視野遮蔽器具１００は、図１に示した視野遮蔽器具と比較すると、頭部装着体１０としてのフレーム２に遮蔽部４を設け、透光部５を除去した構造となっている。この視野遮蔽器具１００には、鼻掛け部３の位置よりも上方に遮蔽部４が設けられている。
【００３４】
図６は、眼鏡に着脱自在に構成された視野遮蔽器具１００の一例を示す図である。
図６に示した視野遮蔽器具１００は、フレーム２に、レンズ１や視野上部遮蔽部４０などを支持する支持枠２ａ（レンズ枠）と、左右一対の支持枠２ａまたは視野上部遮蔽部４０を連結するブリッジ２ｂと、ブリッジ２ｂなどに設けられた、通常の眼鏡に着脱自在に装着する取付部３０を有する。図６に示した視野遮蔽器具１００では、つる部２ｃ、耳かけ部２ｄ、鼻掛け部３などは設けられていない。
【００３５】
取付部３０は、通常の眼鏡に着脱自在に装着可能に構成されていればよく、例えば、通常の眼鏡のブリッジなどに係るようなフック形状、クリップ形状、などの各種構造を採用することができる。つまり、図６に示した視野遮蔽器具１００では、通常の眼鏡に簡単に装着することができる。
【００３６】
図７は、眼鏡に着脱自在に構成された視野遮蔽器具１００の他の例を示す図である。
図７に示した視野遮蔽器具１００は、図６に示した視野遮蔽器具の透光部５を除去した形状である。詳細には、この視野遮蔽器具１００は、図６に示した例と比較して、透光部５がなく、フレーム２と、左右一対の遮蔽部４と、ブリッジ２ｂと、取付部３０とを有する簡単な構造となっている。
【００３７】
図８は、左右の視野上部遮蔽部である遮蔽部４が一つに連結したタイプの視野遮蔽器具１００の一例を示す図である。
図８に示した視野遮蔽器具１００は、上述した図１に示した視野遮蔽器具の左右の視野上部遮蔽部である遮蔽部４を一つに連結した構造となっている。この遮蔽部４は、一枚の板などで形成することで、非常に簡単に製造することができる。
【００３８】
また、視野遮蔽器具１００は、上述した形態に限られるものではなく、例えば、レンズ１の上端から下端側にかけて、下方になるほど遮光率が低くなるような濃淡の遮蔽部４を設けてもよい。
【００３９】
以上、説明したように、上述した視野遮蔽器具１００は、使用者の頭部の前面側に配置され、使用者の視野のうち上部のみを遮蔽する視野上部遮蔽部４０としての遮蔽部４を有する。視野遮蔽器具を使用者が使用した場合、使用者の視野のうち上部付近を視野上部遮蔽部が遮蔽し、使用者の視野のうち下部については遮蔽しないように、視野遮蔽器具１００が構成されている。
このため、視野遮蔽器具１００を着用した使用者は、視線が自然に下向きとなり、眼球の上直筋を弛緩して、眼球の下直筋を収縮させることができ、全身がリラックス状態となる。眼球の上直筋を弛緩して、眼球の下直筋を収縮させた状態では、脳内ドーパミン、及び、ノルアドレナリンの分泌が抑制され、常に略一定量分泌されている脳内セロトニンが脳内ドーパミンよりも優位となり、情緒が安定する。また、安心感を得ると眼球は下向きになり、視線幅が狭くなる。すなわち、眼球下直筋が収縮し、脳内セロトニンの分泌が促進され、情緒が一層安定する。この状態は、座禅や瞑想などで行われる、約２ｍ先を見据えた半眼状態に近い状態であり、視野遮蔽器具１００を着用した使用者は、自然に情緒が安定した状態となる。
つまり、本発明によれば、簡単な構成で、眼球の上直筋を弛緩して、情緒を安定化させることが可能な、眼鏡や目隠しなどの視野遮蔽器具１００を提供することができる。
【００４０】
また、図３に示したように、視野遮蔽器具１００を使用する使用者Ａに対面する相手Ｂも視野遮蔽器具１００を使用することにより、互いの視線が交差することなく、透光部５から下向きの視線で互いを見ることができる。このため、使用者Ａと相手Ｂが興奮状態であっても、次第に興奮状態が収まり、互いの情緒が次第に安定させるようにすることが可能である。
【００４１】
また、本発明の実施形態に係る視野遮蔽器具１００を使用者が使用した場合、得られることが可能な効果として、例えば、以下の効果のいずれか一つ又は複数を挙げることができる。
１．ダイエット中の過食を軽減（ドーパミンの減少効果、および、セロトニンの増加効果）。
２．ウォーキング時の情緒を安定化（ドーパミンの減少効果、および、セロトニンの増加効果）。
３．失恋、失敗等の気分の落ち込みを軽減（ドーパミンの減少効果、および、セロトニンの増加効果）。
４．仕事や勉強時の集中力を増強（ドーパミンの減少効果、および、セロトニンの増加効果）。
５．通勤時や通学時などのイライラを軽減（ドーパミンの減少効果、および、セロトニンの増加効果）。
６．ヒステリー時などの気分の高揚を軽減（ノルアドレナリンの減少効果、および、セロトニンの増加効果）。
７．妬み心や嫉妬心の軽減（ドーパミンの減少効果、および、セロトニンの増加効果）。
８．片づけの苦手意識を解消（ドーパミンの減少効果、及び、セロトニンの増加効果）。
９．必要以上のこだわりの解消（ドーパミンの減少効果、及び、セロトニンの増加効果）。
１０．赤面症、あがり症、閉所恐怖症、高所恐怖症、などの不安障害の症状の緩和（ノルアドレナリンの減少効果、及び、セロトニンの増加効果）。
１１．短気な人（キレやすい指導者など）の情緒を安定化（ドーパミンの減少効果、及び、セロトニンの増加効果）。
１２．会議や講演時の緊張を緩和（ノルアドレナリンの減少効果、及び、セロトニンの増加効果）。
１３．肩痛や腰痛等の痛みを緩和（ノルアドレナリンの減少効果、及び、セロトニンの増加効果）。
１４．貧乏ゆすり等のチック症状を緩和（ドーパミンの減少効果、及び、セロトニンの増加効果）。
１５．買い物依存、アルコール依存、たばこ依存などの依存症の症状緩和（ドーパミンの減少、及び、セロトニンの増加効果）。
１６．夫婦喧嘩、親子喧嘩などを要因とする興奮を緩和して家庭円満に（ノルアドレナリンの減少効果、及び、セロトニンの増加効果）。
１７．花粉症やアレルギーの症状を緩和（ドーパミンの減少効果、及び、ノルアドレナリンの減少効果）。
１８．終末医療での情緒を安定化（ノルアドレナリンの減少、及び、セロトニンの増加効果）。
１９．競歩、ゴルフ、マラソン、野球、などのスポーツ選手の技術の向上（セロトニンの増加効果、精神的に安定化して集中力強化などによる）。
２０．不眠症を改善（セロトニンの増加効果）。
２１．他人の粗探し癖を緩和（ドーパミンの減少効果、及び、セロトニンの増加効果）。
２２．協調性を助長（ドーパミンの減少効果、及び、セロトニンの増加効果）。
２３．多動性や衝動性を緩和（ドーパミンの減少効果、及び、セロトニンの増加効果）。
２４．座禅、ヨガなどを行う際、使用者の視線を下方へ固定することを補助することが可能である。
【００４２】
尚、視野遮蔽器具１００は、上述した形態に限られるものではない。
【００４３】
図９は視野遮蔽器具１００の変形例を示す図である。例えば、図９（ａ）に示したように、遮蔽部４の表面に、種々のロゴ４ｂを設け、相手を癒すような構成としてもよい。詳細には、図９（ａ）は「ただ今・ダイエット中」、「ただ今・反省しています」などの文字を遮蔽部４の使用者側の面に対して反対側の面（相手側の面）に表示するように構成してもよい。また、「座禅・瞑想」などの自分の好きな文字などを、遮蔽部４の使用者側の面に対して反対側の面（相手側の面）に表示することで、相手を癒すような構成としてもよい。
また、視野遮蔽器具１００は、図９（ｃ）に示したように、遮蔽部４の上端部３ｃなどに、所望のデザインの装飾部を有していてもよく、そのデザインにマッチしたロゴ４ｂを施した構成であってもよい。装飾部は、例えば、視野上部遮蔽部の正面（使用者側に対して反対側の面）に、印刷処理、凹凸加工処理、シールを貼付する処理、などにより、文字を表示してもよい。また、視野上部遮蔽部を所望の形状に形成してもよい。例えば、視野上部遮蔽部は、その縁部が炎や所望のキャラクターなどを模した形状であってもよい。このように、視野遮蔽器具１００を、玩具に採用することもできる。
【００４４】
尚、上記実施形態では、視野遮蔽器具１００において、遮蔽部（遮光部）がフレーム（頭部装着体）に固定または着脱自在に設けられていたが、この形態に限られるものではない。例えば、視野遮蔽器具は、遮蔽部（遮光部）をヒンジにより回動自在にフレームに設けた構造であってもよい。
【００４５】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００４６】
また、本発明の実施形態に係る視界遮蔽器具は、使用者の左右いずれか片目のみに適用してもよい。
また、本発明の実施形態に係る視界遮蔽器具において、使用者の視界の上部を遮る視界上部遮蔽部は、所望の色彩、所望のデザイン、所望のレンズ加工などにより形成されていてもよい。
【００４７】
以上、本発明の実施形態について説明したが、本発明の実施形態の一部または全部は、以下の付記のように記載される。
［付記１］
使用者の頭部の前面側に配置される視野遮蔽器具であって、
使用者の視野のうち上部のみを遮蔽する視野上部遮蔽部を有する
ことを特徴とする視野遮蔽器具。
［付記２］
前記視野上部遮蔽部は、前記使用者の頭部に装着される頭部装着体または該頭部装着体に設けられたレンズに設けられ、且つ、前記使用者の眼の前方に配置されて、該使用者の視野のうち上部のみを遮蔽するように構成されていることを特徴とする付記１に記載の視野遮蔽器具。
［付記３］
前記頭部装着体と、前記視野上部遮蔽部とを備える付記２に記載の視野遮蔽器具。
［付記４］
前記視野上部遮蔽部は、前記使用者の頭部に装着される頭部装着体、または、該頭部装着体に設けられたレンズに、着脱自在に設けられていることを特徴とする付記１または付記２に記載の視野遮蔽器具。
［付記５］
前記使用者の視野の下部に透光部を有することを特徴とする付記１から付記４のいずれかに記載の視野遮蔽器具。
［付記６］
前記視野上部遮蔽部は、使用者側とは反対側の面に、少なくとも文字、模様のいずれかを設けた付記１から付記５のいずれかに記載の視野遮蔽器具。
［付記７］
前記視野上部遮蔽部は、その上端に凹凸形状部を備えることを特徴とする付記１から付記６のいずれかに記載の視野遮蔽器具。
［付記８］
一対の視野上部遮蔽部を連結するブリッジを有し、
前記視野上部遮蔽部は、前記ブリッジの下方に設けられた鼻掛け部よりも上方に設けられていることを特徴とする付記１から付記７のいずれかに記載の視野遮蔽器具。
［付記１０］
支持枠（レンズ枠）と、
支持枠またはレンズに連結されたつる部（耳かけ部）と、
一対の支持枠（レンズ枠）を連結するブリッジと、
前記ブリッジの下方に設けられた鼻掛け部と、を有し、
前記視野上部遮蔽部は、前記鼻掛け部よりも上方に設けられていることを特徴とする
付記１から付記９のいずれかに記載の視野遮蔽器具。
【符号の説明】
【００４８】
１  レンズ
２  フレーム
２ａ  支持枠（レンズ枠）
２ｂ  ブリッジ
２ｃ  つる部
３  鼻掛け部
４  遮蔽部（遮光部）
４０  視野上部遮蔽部
１０  頭部装着体
１００  視野遮蔽器具
【図１】
2014222293.tif 000003
【図２】
2014222293.tif 000004
【図３】
2014222293.tif 000005
【図４】
2014222293.tif 000006
【図５】
2014222293.tif 000007
【図６】
2014222293.tif 000008
【図７】
2014222293.tif 000009
【図８】
2014222293.tif 000010
【図９】
2014222293.tif 000011